(57)【要約】      （修正有）【課題】上下方向にコンパクトで、かつ、少ない回転数で迅速に取着し得る電力設備用ストッパーを提供する。【解決手段】電気絶縁性を有する合成樹脂で構成され、架設線材を挟持して所定固定位置に取着される電力設備用ストッパーに於て、上半部に左ねじ状螺旋突条４を有し下半部に右ねじ状螺旋突条５を有する操作用軸部材３と、左ねじ状螺旋突条に螺着されると共に上挟持片６を突出状に有する第１昇降部材１と、右ねじ状螺旋突条に螺着されると共に凹部７を有する下挟持片９が突設された第２昇降部材２とを備え、軸部材の軸心Ｌ廻りの回転操作によって、第１昇降部材と第２昇降部材が上下から相互に接近し、上挟持片と下挟持片をもって架設線材を挟持するように構成されている。【選択図】図７
2015089191.tif 000002
【特許請求の範囲】
【請求項１】
電気絶縁性を有する合成樹脂で構成され、架設線材（Ｃ）を挟持して所定固定位置に取着される電力設備用ストッパーに於て、
上半部に左ねじ状螺旋突条（４）を有し下半部に右ねじ状螺旋突条（５）を有する操作用軸部材（３）と、上記左ねじ状螺旋突条（４）に螺着されると共に上挟持片（６）を突出状に有する第１昇降部材（１）と、上記右ねじ状螺旋突条（５）に螺着されると共に凹部（７）を有する下挟持片（９）が突設された第２昇降部材（２）とを、備え、
上記上挟持片（６）を退避位置（Ｐ0）に配設し上記凹部（７）を上記架設線材（Ｃ）に押し付けて係止した下挟持片係止状態で、上記軸部材（３）の軸心（Ｌ）廻りの回転操作に伴って、上記第１昇降部材（１）と上記軸部材（３）が共廻りし、上記上挟持片（６）が上記架設線材（Ｃ）を介して上記下挟持片（９）と上下に対応した挟持対応位置（Ｐ1）となると共に該挟持対応位置（Ｐ1）で上記第１昇降部材（１）が上記第２昇降部材（２）に当接停止した締込前状態とし、上記軸部材（３）の軸心（Ｌ）廻りの回転操作によって、上記第１昇降部材（１）と上記第２昇降部材（２）が上下から相互に接近し、上記上挟持片（６）と上記下挟持片（９）をもって上記架設線材（Ｃ）を挟持するように構成されたことを特徴とする電力設備用ストッパー。
【請求項２】
上記上挟持片（６）は、ラジアル外方向に水平突出状に形成され、上記上挟持片（６）の下端面（６Ａ）は、略水平面状に形成されている請求項１記載の電力設備用ストッパー。
【請求項３】
上記挟持対応位置（Ｐ1）に於て、上記第１昇降部材（１）の上記上挟持片（６）が上記第２昇降部材（２）の一部に当接停止して上記締込前状態となるように構成されている請求項１又は２記載の電力設備用ストッパー。
【請求項４】
上記軸部材（３）は、上記左ねじ状螺旋突条（４）と上記右ねじ状螺旋突条（５）に谷部（３５）が形成され、かつ、上記第１昇降部材（１）と上記第２昇降部材（２）には、上記軸部材（３）との共廻りを補助するための弾性片（３６）が付設されている請求項１，２又は３記載の電力設備用ストッパー。
【請求項５】
電気絶縁性を有する合成樹脂で構成され、架設線材（Ｃ）を挟持して所定固定位置に取着される電力設備用ストッパーに於て、
上半部に左ねじ状螺旋突条（４）を有し下半部に右ねじ状螺旋突条（５）を有する操作用軸部材（３）と、上記左ねじ状螺旋突条（４）に螺着されると共に凹部（７）を有する上挟持片（６）が突設された第１昇降部材（１）と、上記右ねじ状螺旋突条（５）に螺着されると共に下挟持片（９）を突出状に有する第２昇降部材（２）とを、備え、
上記下挟持片（９）を退避位置に配設し上記凹部（７）を上記架設線材（Ｃ）に押し付けて係止した上挟持片係止状態で、上記軸部材（３）の軸心（Ｌ）廻りの回転操作に伴って、上記第２昇降部材（２）と上記軸部材（３）が共廻りし、上記下挟持片（９）が上記架設線材（Ｃ）を介して上記上挟持片（６）と上下に対応した挟持対応位置となると共に該挟持対応位置で上記第１昇降部材（１）が上記第２昇降部材（２）に当接停止した締込前状態とし、上記軸部材（３）の軸心（Ｌ）廻りの回転操作によって、上記第１昇降部材（１）と上記第２昇降部材（２）が上下から相互に接近し、上記上挟持片（６）と上記下挟持片（９）をもって上記架設線材（Ｃ）を挟持するように構成されたことを特徴とする電力設備用ストッパー。
【発明の詳細な説明】
【技術分野】
【０００１】
本発明は、電力設備用ストッパーに関する。
【背景技術】
【０００２】
従来、電柱間に架け渡した電線に直接手を触れることなく取着可能であって、感電事故の危険性を低減する合成樹脂製の電力設備用ストッパーが使用されている（特許文献１参照）。
特許文献１記載の電力設備用ストッパー４０は、図１７と図１８に示すように、上下一対の水平腕部４３，４４を有する側面視コ字状の本体部４１と、下方の水平腕部４４に螺着される操作用軸部材４２とを、備え、軸部材４２と上方の水平腕部４３をもって、架設線材Ｃを挟持するように構成されている。電力設備工事の現場では、停電を発生させることなく架設線材Ｃに電気を流したままストッパー４０の取付作業をする活線工法が行われる。活線工法では、軸部材４２を長尺の操作棒によって遠隔で回転操作して、架設線材Ｃに直接手を触れることなく軸部材４２を締込んでストッパー４０を所定位置に固定していた。
【先行技術文献】
【特許文献】
【０００３】
【特許文献１】特開平９−１４００１６号公報
【発明の概要】
【発明が解決しようとする課題】
【０００４】
しかし、従来の電力設備用ストッパー４０は、図１８に示すように、上方の水平腕部４３に線材離脱防止用の突出片４５が形成され、軸部材４２と水平腕部４３の間に架設線材Ｃを装入して挟持するには、軸部材４２が上下に大きく螺進・螺退できる構造でなければならず、軸部材４２と突出片４５の間に架設線材Ｃの直径より大きな上下寸法ｄを確保する為には、ストッパー４０の上下方向の全長が大きくなり過ぎるという欠点があった。
また、ストッパー４０の取付作業の際、図１８から図１７のように、軸部材４２を沢山回転させて螺進しなければ、架設線材Ｃを締込むことができなかった。活線工法が行われる現場では、長尺操作棒による軸部材４２の遠隔操作の回転数をできるだけ少なく済ませることが要望されている。
【０００５】
そこで、本発明は、上下方向にコンパクトで、かつ、少ない回転数で迅速に取着し得る電力設備用ストッパーを提供することを目的とする。
【課題を解決するための手段】
【０００６】
本発明に係る電力設備用ストッパーは、電気絶縁性を有する合成樹脂で構成され、架設線材を挟持して所定固定位置に取着される電力設備用ストッパーに於て、上半部に左ねじ状螺旋突条を有し下半部に右ねじ状螺旋突条を有する操作用軸部材と、上記左ねじ状螺旋突条に螺着されると共に上挟持片を突出状に有する第１昇降部材と、上記右ねじ状螺旋突条に螺着されると共に凹部を有する下挟持片が突設された第２昇降部材とを、備え、上記上挟持片を退避位置に配設し上記凹部を上記架設線材に押し付けて係止した下挟持片係止状態で、上記軸部材の軸心廻りの回転操作に伴って、上記第１昇降部材と上記軸部材が共廻りし、上記上挟持片が上記架設線材を介して上記下挟持片と上下に対応した挟持対応位置となると共に該挟持対応位置で上記第１昇降部材が上記第２昇降部材に当接停止した締込前状態とし、上記軸部材の軸心廻りの回転操作によって、上記第１昇降部材と上記第２昇降部材が上下から相互に接近し、上記上挟持片と上記下挟持片をもって上記架設線材を挟持するように構成されたものである。
【０００７】
また、上記上挟持片は、ラジアル外方向に水平突出状に形成され、上記上挟持片の下端面は、略水平面状に形成されているものである。
また、上記挟持対応位置に於て、上記第１昇降部材の上記上挟持片が上記第２昇降部材の一部に当接停止して上記締込前状態となるように構成されているものである。
また、上記軸部材は、上記左ねじ状螺旋突条と上記右ねじ状螺旋突条に谷部が形成され、かつ、上記第１昇降部材と上記第２昇降部材には、上記軸部材との共廻りを補助するための弾性片が付設されているものである。
【０００８】
また、電気絶縁性を有する合成樹脂で構成され、架設線材を挟持して所定固定位置に取着される電力設備用ストッパーに於て、上半部に左ねじ状螺旋突条を有し下半部に右ねじ状螺旋突条を有する操作用軸部材と、上記左ねじ状螺旋突条に螺着されると共に凹部を有する上挟持片が突設された第１昇降部材と、上記右ねじ状螺旋突条に螺着されると共に下挟持片を突出状に有する第２昇降部材とを、備え、上記下挟持片を退避位置に配設し上記凹部を上記架設線材に押し付けて係止した上挟持片係止状態で、上記軸部材の軸心廻りの回転操作に伴って、上記第２昇降部材と上記軸部材が共廻りし、上記下挟持片が上記架設線材を介して上記上挟持片と上下に対応した挟持対応位置となると共に該挟持対応位置で上記第１昇降部材が上記第２昇降部材に当接停止した締込前状態とし、上記軸部材の軸心廻りの回転操作によって、上記第１昇降部材と上記第２昇降部材が上下から相互に接近し、上記上挟持片と上記下挟持片をもって上記架設線材を挟持するように構成されたものである。
【発明の効果】
【０００９】
本発明の電力設備用ストッパーによれば、上下方向の全長が短く、コンパクトで、取り扱いが容易である。上挟持片と下挟持片の間に架設線材を装入する際、架設線材の直径より大きな上下寸法を確保する必要がなく、締込みに係る軸部材の回転数を低減できる。軸部材の回転操作によって、第１昇降部材と第２昇降部材が上下から相互に接近して、締め込み速度を２倍に向上できて、取付作業を迅速に効率よく行い得る。特に、活線工法に於て、遠隔操作の作業時間を短縮できる。
【図面の簡単な説明】
【００１０】
【図１】本発明の実施の一形態を示した斜視図である。
【図２】本発明の電力設備用ストッパーの下挟持片係止状態を示した斜視図である。
【図３】本発明の電力設備用ストッパーの締込前状態を示した斜視図である。
【図４】本発明の電力設備用ストッパーの締付状態を示した斜視図である。
【図５】締付状態を示した断面図である。
【図６】軸部材の他の実施例を示した斜視図である。
【図７】本発明の他の実施形態を示した斜視図である。
【図８】本発明の他の実施形態を示した斜視図である。
【図９】本発明の他の実施形態を示した斜視図である。
【図１０】本発明の他の実施形態を示した斜視図である。
【図１１】本発明の他の実施形態を示した斜視図である。
【図１２】回転力伝達手段の断面底面図である。
【図１３】本発明の他の実施形態を示した斜視図である。
【図１４】本発明の他の実施形態を示した斜視図である。
【図１５】本発明の他の実施形態を示した斜視図である。
【図１６】本発明の別の実施形態を示した斜視図である。
【図１７】従来の電力設備用ストッパーを示した断面側面図である。
【図１８】従来の電力設備用ストッパーを示した断面側面図である。
【発明を実施するための形態】
【００１１】
以下、実施の形態を示す図面に基づき本発明を詳説する。
図１に示すように、本発明の電力設備用ストッパーは、電気絶縁性を有する合成樹脂で構成され、架設線材Ｃを挟持して所定固定位置に取着される。本発明に於て、架設線材Ｃとは、電柱間に架け渡した電線や電柱を支える支線等であって、電力設備用ストッパーは、例えば、電線の上に鳥が留まるのを防ぐ鳥除け（図示省略）、あるいは、樹木や建造物との接触による電線の損傷を防ぐ絶縁保護管等の端部に付設され、滑り落ちないように固定する目的で使用される。
本発明の電力設備用ストッパーは、上半部に左ねじ状螺旋突条４を有し下半部に右ねじ状螺旋突条５を有する操作用軸部材３と、左ねじ状螺旋突条４に螺着されると共に上挟持片６を突出状に有する第１昇降部材１と、右ねじ状螺旋突条５に螺着されると共に（Ｖ字状）凹部７を有する下挟持片９が突設された第２昇降部材２とを、備えている。
【００１２】
第１昇降部材１は、上挟持片６がラジアル外方向に水平突出状に形成され、上挟持片６の下端面６Ａは、略水平面状に形成されている。上挟持片６は、左右一対の水平状角柱から成る。上挟持片６の下端面６Ａには、架設線材Ｃに対応する円弧状弯曲凹部１６が形成されている。また、第１昇降部材１は、当接用垂下片部１１を下方突出状に有している。
第２昇降部材２は、下挟持片９がラジアル外方向に突出状に形成され、その先端部に線材離脱防止用の鉛直壁部２２を有している。下挟持片９は、上挟持片６の突出長さ寸法よりも大きな突出長さ寸法を有し、鉛直壁部２２が上挟持片６と干渉しないように構成されている。下挟持片９は、互いに平行な３つの板状体によって構成され、その上端面にＶ字状凹部７が形成されている。３つの板状体を隔てるスリット２３，２３は、上挟持片６を構成する２本の角柱に上下対応するように形成されている。下挟持片９（３つの内の１つの板状体）には、係止片部１２が立設され、上挟持片６と下挟持片９が上下対応する位置に配設される際、係止片部１２と垂下片部１１の鉛直状側面が相互に当接するように構成されている。また、下挟持片９には、取付作業時の掴み代として掴持片２１が突設されている。
【００１３】
軸部材３は、大径の棒状に形成され、上端部に半球体部３０を有し、上端部近傍から上下方向中間部にわたる上半部に左ねじ状螺旋突条４を有し、上下方向中間部から下端部近傍にわたる下半部に右ねじ状螺旋突条５を有している。なお、「左ねじ状螺旋突条」とは、軸心方向下方から見て反時計回り（左回り）に辿れば軸心方向上方に遠ざかるように形成された螺子山であり、一方、「右ねじ状螺旋突条」とは、軸心方向下方から見て時計回り（右回り）に辿れば軸心方向上方に遠ざかるように形成された螺子山である。
軸部材３の下端部には、トルク伝達用の六角片部３３を備えている。六角片部３３は、先端部３１と基端部３２とが別々の六角片により構成され、先端部３１と基端部３２は小径細杆３４によって連結されている。
【００１４】
次に、本発明の電力設備用ストッパーの使用方法（作用）について説明する。
図２に示すように、上挟持片６を退避位置Ｐ0に配設し、Ｖ字状凹部７を架設線材Ｃに押し付けて係止した下挟持片係止状態で、（図示省略の操作棒のソケットを六角片部３３に取着して）軸部材３を軸心Ｌ廻りに回転操作する。なお、軸部材３の回転操作は、軸心方向下方から見て時計回り（右回り）に行うものとする。
図３に示すように、軸部材３の軸心Ｌ廻りの回転操作に伴って、第１昇降部材１が軸部材３との摩擦力によって共廻りする。上挟持片６が架設線材Ｃを介して下挟持片９と上下に対応した挟持対応位置Ｐ1となるまで旋回させたところで、第１昇降部材１が第２昇降部材２に当接停止する。この際、垂下片部１１が第２昇降部材２の係止片部１２に当接停止している。上挟持片６を退避位置Ｐ0から挟持対応位置Ｐ1に旋回させる際、上挟持片６の下端面６Ａが架設線材Ｃの上端に当たらない限度であれば、上挟持片６と下挟持片９の間に最小の上下寸法を確保すれば良い。このように、第１昇降部材１が第２昇降部材２に当接停止し、かつ、上挟持片６が架設線材Ｃを未だ押え込んでいない状態を、締込前状態とする。
【００１５】
図４に示すように、軸部材３の軸心Ｌ廻りの回転操作によって、第１昇降部材１と第２昇降部材２が上下から相互に接近し、上挟持片６と下挟持片９をもって架設線材Ｃを挟持する。この際、垂下片部１１と係止片部１２の鉛直状側面どうしが相互に摺接し、上挟持片６と下挟持片９を上下方向に案内（ガイド）する。このようにして、本発明の電力設備用ストッパーは、軸部材３を架設線材Ｃと捩れの位置に配設し、軸部材３の軸心Ｌのラジアル外方で上挟持片６と下挟持片９により上下から架設線材Ｃを締付けて固着される。
この締付状態では、図５に示すように、上挟持片６と下挟持片９は、上下から締付力Ｆ，Ｆをもって架設線材Ｃを互い違いに押圧し、架設線材Ｃを（僅かに）波形変形させ、左右方向に摺動させることなく保持する。
なお、軸部材３は、回転操作によって適正なトルクが付与されて、架設線材Ｃに十分な締付力Ｆ，Ｆが作用すると、六角片部３３の小径細杆３４が折れて、先端部３１が取り除かれる。即ち、軸部材３は、六角片部３３を所定の強度に設定することで、架設線材Ｃに過大な締付力Ｆ，Ｆが掛かることのないようトルク管理をし、架設線材Ｃの損傷、又は、軸部材３の破断等のリスクを低減する。また、取付作業の際、六角片部３３の先端部３１が取り除かれて無くなっていることで、軸部材３の回転操作が完了して、上挟持片６と下挟持片９が架設線材Ｃを適正な締付力Ｆ，Ｆをもって挟持していることを確認できる。ストッパーを左右に移動させる場合には、六角片部３３の基端部３２にソケットを取着し、（反時計回りに）回転操作して第１昇降部材１と第２昇降部材２を上下に離間して、架設線材Ｃに対する締込みを緩めることが可能である。
【００１６】
図６は、軸部材３の他の実施例を示している。
図６に示すように、軸部材３は、左ねじ状螺旋突条４及び右ねじ状螺旋突条５に、緩み止め用の凹部１４が形成されている。
凹部１４は、左ねじ状螺旋突条４及び右ねじ状螺旋突条５に沿って、同一ピッチで列設されている。凹部１４は、螺旋突条４上では、軸心方向下方から見て反時計方向（左方向）に深い谷部を有し、一方、螺旋突条５上では、軸心方向下方から見て時計方向（右方向）に深い谷部を有している。なお、凹部１４は、左ねじ状螺旋突条４又は右ねじ状螺旋突条５どちらか一方に形成されているものでも良い。
この構成により、軸部材３を回転操作して、上挟持片６と下挟持片９によって架設線材Ｃを締付けた後、軸部材３が逆方向に回転するのを規制して架設線材Ｃへの締付が緩むのを防止する。即ち、架設線材Ｃに電柱からの振動が伝達し、あるいは、風による揺れが生じた場合であっても、軸部材３を（締付方向の）逆方向へ回転させることなく、上挟持片６と下挟持片９の締付けが緩むのを防止できる。
なお、第１昇降部材１・第２昇降部材２側に、軸部材３の回転を一方向のみに規制する弾性片を設けるも好ましい（図示省略）。即ち、弾性片によって、第１昇降部材１と第２昇降部材２を相互に接近させる方向への軸部材３の回転操作を可能とし、これに反して、第１昇降部材１と第２昇降部材２を相互に離間させる方向への軸部材３の回転操作を規制するように構成するも良い。
【００１７】
次に、本発明の他の実施形態について説明する。
図７に示すように、本発明の電力設備用ストッパーは、上半部に左ねじ状螺旋突条４を有し下半部に右ねじ状螺旋突条５を有する操作用軸部材３と、左ねじ状螺旋突条４に螺着されると共に上挟持片６を突出状に有する第１昇降部材１と、右ねじ状螺旋突条５に螺着されると共に凹部７を有する下挟持片９が突設された第２昇降部材２とを、備えている。
【００１８】
第１昇降部材１は、上挟持片６がラジアル外方向に水平突出状に形成され、上挟持片６の下端面６Ａは、略水平面状に形成されている。
上挟持片６は、断面縦長矩形状の突片が複数本並設されて櫛歯状に形成されている。なお、隣接する突片どうしが左右方向に橋絡されるも好ましい（図９参照）。上挟持片６の下端面６Ａには、円弧状弯曲凹部１６が形成されている。
図９に示すように、第２昇降部材２は、下挟持片９がラジアル外方向に突出状に形成され、その先端部に線材離脱防止用の鉛直壁部２２を有している。鉛直壁部２２は、ラジアル方向内側の面に、上挟持片６の櫛歯状突片の隙間に対応する複数の凸部２４が突出状に形成されている。図７に示すように、上挟持片６と下挟持片９が上下対応する位置に配設される際、上挟持片６と鉛直壁部２２が当接停止するように、複数の内の１つの凸部２４が大きく突出している。なお、図示省略するが、上挟持片６の複数本の突片の内の１本を大きく突出させ、上挟持片６と下挟持片９が上下対応する位置に配設される際、上挟持片６の突片の内の１本が鉛直壁部２２に当接停止するように構成するも好ましい。
軸部材３は、大径の棒状に形成され、上端部に半球体部３０を有し、上端部近傍から上下方向中間部にわたる上半部に左ねじ状螺旋突条４を有し、上下方向中間部から下端部近傍にわたる下半部に右ねじ状螺旋突条５を有している。
【００１９】
図７に示す電力設備用ストッパーは、軸部材３の下端部に、回転力伝達手段２５を備えている。
図１２に示すように、回転力伝達手段２５は、軸部材３と一体に連結され軸心Ｌ廻りに回転する内回転体２６と、内回転体２６を包囲する筒状に形成されると共に外周面六角形状の外回転体２７とを、具備している。内回転体２６は、外周面に複数の小突条２８が形成されている。小突条２８の一方には、テーパー部２８ａを有し、また、小突条２８の他方には、内回転体２６の外周面から直角乃至鋭角に切り立った段部２８ｂを有している。外回転体２７は、内周面に複数の係止突片２９が形成されている。係止突片２９は、一方にテーパー部２９ａを有し、また、他方に直角乃至鋭角に切り立った段部２９ｂを有している。
回転力伝達手段２５は、外回転体２７に時計方向にトルクを付与すると、小突条２８と係止突片２９が摩擦抵抗をもって係止して、外回転体２７と内回転体２６が共廻りする。外回転体２７に小突条２８と係止突片２９が摩擦抵抗を上回る強いトルクが加えられた時には、係止突片２９が小突条２８を乗り越え、内回転体２６に対し外回転体２７が空回りする。また、外回転体２７に反時計方向にトルクが付与された際、小突条２８と係止突片２９が段部２８ｂ，２９ｂを当接して、乗り越えできない状態で係止し、強いトルクで外回転体２７と内回転体２６を回転できるように構成されている。なお、回転力伝達手段２５は、内回転体２６に対し外回転体２７が空回りしないように構成しても良く、後述の操作棒のソケットにトルクリミッタ機構を設けるも好ましい。
【００２０】
図１３と図１４に示すように、左ねじ状螺旋突条４と右ねじ状螺旋突条５に、谷部３５が形成され、かつ、第１昇降部材１と第２昇降部材２に、軸部材３との共廻りを補助するための弾性片３６が付設されている。
第１昇降部材１に於て、弾性片３６は、上挟持片６の下端面６Ａに取付けられ、左ねじ状螺旋突条４の谷部３５に係止するように配設されている。軸部材３にトルクが付与される際、左ねじ状螺旋突条４の谷部３５に弾性片３６が係止して、第１昇降部材１と軸部材３が共廻りする。また、第１昇降部材１と第２昇降部材２が当接停止すると、弾性片３６は弾性変形しつつ谷部３５を次々と乗り越えて、第１昇降部材１に対し軸部材３が回転可能である。
また、第２昇降部材２に於て、弾性片３６は、下挟持片９の上端面に取付けられ、右ねじ状螺旋突条５の谷部３５に係止するように配設されている。軸部材３にトルクが付与される際、右ねじ状螺旋突条５の谷部３５に弾性片３６が係止して、第２昇降部材２と軸部材３が共廻りする。また、第１昇降部材１と第２昇降部材２が当接停止すると、弾性片３６は弾性変形しつつ谷部３５を次々と乗り越えて、第２昇降部材２に対し軸部材３が回転可能である。
【００２１】
次に、本発明の電力設備用ストッパーの使用方法（作用）について説明する。
図８に示すように、上挟持片６を退避位置Ｐ0に配設し、凹部７を架設線材Ｃに押し付けて係止した下挟持片係止状態で、（図示省略の操作棒のソケットを回転力伝達手段２５に取着して）軸部材３を軸心Ｌ廻りに回転操作する。なお、軸部材３の回転操作は、軸心方向下方から見て時計回り（右回り）に行うものとする。なお、回転力伝達手段２５は、外回転体２７と内回転体２６が共廻りして、操作棒のソケットによる回転操作力を軸部材３に確実に伝達する。
図９に示すように、軸部材３の軸心Ｌ廻りの回転操作に伴って、第１昇降部材１が軸部材３と共廻りする。この際、弾性片３６は、谷部３５に係止して、第１昇降部材１と軸部材３が確実に共廻りする。
【００２２】
図１０に示すように、さらに軸部材３を回転させて、上挟持片６が架設線材Ｃを介して下挟持片９と上下に対応した挟持対応位置Ｐ1となると共に、第１昇降部材１が第２昇降部材２に当接停止し、締込前状態となる。この際、図１１に示すように、上挟持片６が鉛直壁部２２の凸部２４に当接停止している。上挟持片６が、図８の退避位置Ｐ0から図１０の挟持対応位置Ｐ1に旋回する際、上挟持片６の下端面６Ａが架設線材Ｃの上端に当たらない限度であれば、上挟持片６と下挟持片９の間に最小の上下寸法を確保すれば良い。
【００２３】
図１５に示すように、軸部材３の軸心Ｌ廻りの回転操作によって、第１昇降部材１と第２昇降部材２が上下から相互に接近し、上挟持片６と下挟持片９をもって架設線材Ｃを挟持する。この際、弾性片３６は、弾性変形して弯曲し、谷部３５を次々と乗り越える。また、上挟持片６の櫛歯状突片と、鉛直壁部２２の凸部２４の側面どうしが相互に摺接し、上挟持片６と下挟持片９を上下方向にガイドする。
【００２４】
図５に示すように、締付状態では、上挟持片６と下挟持片９は、上下から締付力Ｆ，Ｆをもって架設線材Ｃを互い違いに押圧し、架設線材Ｃを（僅かに）波形変形させ、左右方向に摺動させることなく保持する。
軸部材３に回転操作によってトルクが付与される際、回転力伝達手段２５の外回転体２７と内回転体２６が共廻りして、架設線材Ｃに十分な締付力Ｆ，Ｆが加えられる。また、軸部材３に所定の強度以上のトルクが加えられ、架設線材Ｃに過大な締付力Ｆ，Ｆが掛かる虞れがあるような場合には、内回転体２６に対し外回転体２７が空回りして、架設線材Ｃの損傷、又は、軸部材３の破断等のリスクを低減する。即ち、回転力伝達手段２５は、外回転体２７と内回転体２６を空転させることで、架設線材Ｃに過大な締付力Ｆ，Ｆが掛かることのないようトルク管理をするように構成されている。
【００２５】
また、ストッパーを左右に移動させる場合には、回転力伝達手段２５にソケットを取着し、外回転体２７を反時計回りに回転操作して、第１昇降部材１と第２昇降部材２を上下に離間して、架設線材Ｃに対する締込みを緩めることが可能である。外回転体２７と内回転体２６は、しっかりと係止して、確実に（反時計回りに）共廻りする。
従って、回転力伝達手段２５は、架設線材Ｃに対する締込みを行う方向（図例では時計方向）には、トルクを管理しつつ回転操作力を伝達する。つまり、架設線材Ｃに適正な締付力Ｆ，Ｆが付与されるまでは、外回転体２７と内回転体２６が摩擦力によって係止して、軸部材３にトルクを伝達し、かつ、所定強さ以上のトルクを加えると、外回転体２７と内回転体２６が空回りする。また、架設線材Ｃに対する締込みを緩める方向（図例では反時計方向）には、確実に回転操作力を伝達し、この構成により、繰返し架設線材Ｃに締込みを行うことが可能となり、ストッパー全体を再利用することができ、コストを低く抑えることができる。
【００２６】
また、上挟持片６と下挟持片９によって架設線材Ｃを締付けた後、弾性片３６によって、軸部材３が逆方向に回転するのを規制して架設線材Ｃへの締付が緩むのを防止している。即ち、架設線材Ｃに電柱からの振動が伝達し、あるいは、風による揺れが生じた場合であっても、軸部材３を（締付方向の）逆方向へ回転させることなく、上挟持片６と下挟持片９の締付けが緩むのを防止できる。
【００２７】
図１６は、本発明の電力設備用ストッパーの別の実施形態を示している。
図１６では、電気絶縁性を有する合成樹脂で構成され、架設線材（図示省略）を挟持して所定固定位置に取着される電力設備用ストッパーに於て、上半部に左ねじ状螺旋突条４を有し下半部に右ねじ状螺旋突条５を有する操作用軸部材３と、左ねじ状螺旋突条４に螺着されると共に凹部７を有する上挟持片６が突設された第１昇降部材１と、右ねじ状螺旋突条５に螺着されると共に下挟持片９を突出状に有する第２昇降部材２とを、備えている。つまり、上挟持片６と下挟持片９の形状が、上述の実施形態と上下逆になっている。
下挟持片９を退避位置に配設し凹部７を架設線材に押し付けて係止した上挟持片係止状態で、軸部材３の軸心Ｌ廻りの回転操作に伴って、第２昇降部材２と軸部材３が共廻りし、下挟持片９が架設線材を介して上挟持片６と上下に対応した挟持対応位置となると共に挟持対応位置で第１昇降部材１が第２昇降部材２に当接停止した締込前状態とし、軸部材３の軸心Ｌ廻りの回転操作によって、第１昇降部材１と第２昇降部材２が上下から相互に接近し、上挟持片６と下挟持片９をもって架設線材を挟持するように構成されている。
なお、軸部材３の下端部には、回転力伝達手段３９を備えている。図１６に示す回転力伝達手段３９は、下方からの引っ張りに対応して形成され、軸部材３の回転操作の際、回転力伝達手段３９にＴ字状の操作棒を差し込んで、下方に引っ張りながら回して、第１昇降部材１と第２昇降部材２の締付けを行う。
【００２８】
なお、本発明は、上述した実施の形態に限定されることなく、設計変更可能であって、例えば、軸部材３が、上半部に右ねじ状螺旋突条５を有し、下半部に左ねじ状螺旋突条４を有するも良い。この場合、第１昇降部材１と第２昇降部材２を相互に接近させる締込時の回転操作は、軸心方向下方から見て反時計回り（左回り）に行う。
【００２９】
以上のように、本発明に係る電力設備用ストッパーは、電気絶縁性を有する合成樹脂で構成され、架設線材Ｃを挟持して所定固定位置に取着される電力設備用ストッパーに於て、上半部に左ねじ状螺旋突条４を有し下半部に右ねじ状螺旋突条５を有する操作用軸部材３と、左ねじ状螺旋突条４に螺着されると共に上挟持片６を突出状に有する第１昇降部材１と、右ねじ状螺旋突条５に螺着されると共に凹部７を有する下挟持片９が突設された第２昇降部材２とを、備え、上挟持片６を退避位置Ｐ0に配設し凹部７を架設線材Ｃに押し付けて係止した下挟持片係止状態で、軸部材３の軸心Ｌ廻りの回転操作に伴って、第１昇降部材１と軸部材３が共廻りし、上挟持片６が架設線材Ｃを介して下挟持片９と上下に対応した挟持対応位置Ｐ1となると共に挟持対応位置Ｐ1で第１昇降部材１が第２昇降部材２に当接停止した締込前状態とし、軸部材３の軸心Ｌ廻りの回転操作によって、第１昇降部材１と第２昇降部材２が上下から相互に接近し、上挟持片６と下挟持片９をもって架設線材Ｃを挟持するように構成されたので、上下方向の全長が短く、コンパクトで、取り扱いが容易である。上挟持片６と下挟持片９の間に架設線材Ｃを装入する際、架設線材Ｃの直径より大きな上下寸法を確保する必要がなく、締込みに係る軸部材３の回転数を低減できる。軸部材３の回転操作によって、第１昇降部材１と第２昇降部材２が上下から相互に接近して、締め込み速度を２倍に向上できて、取付作業を迅速に効率よく行い得る。特に、活線工法に於て、遠隔操作の作業時間を短縮できる。
【００３０】
また、上挟持片６は、ラジアル外方向に水平突出状に形成され、上挟持片６の下端面６Ａは、略水平面状に形成されているので、上挟持片６が挟持対応位置Ｐ1となった際、下端面６Ａと架設線材Ｃの上端との上下方向の間隔が小さい為、軸部材３を少ない回転数操作するのみで、上挟持片６の下端面６Ａを架設線材Ｃに当接させて締込みを迅速に行い得る。
【００３１】
また、挟持対応位置Ｐ1に於て、第１昇降部材１の上挟持片６が第２昇降部材２の一部に当接停止して締込前状態となるように構成されているので、上挟持片６と下挟持片９を上下に対応した位置に確実に配設することができ、かつ、第１昇降部材１と第２昇降部材２を上下からスムーズに接近させることができる。
【００３２】
また、軸部材３は、左ねじ状螺旋突条４と右ねじ状螺旋突条５に谷部３５が形成され、かつ、第１昇降部材１と第２昇降部材２には、軸部材３との共廻りを補助するための弾性片３６が付設されているので、第１昇降部材１と第２昇降部材２が当接停止するまでは、第１昇降部材１・第２昇降部材２と軸部材３が確実に共廻りし、かつ、第１昇降部材１と第２昇降部材２が当接停止した後は、弾性片３６が弾性変形しつつ谷部３５を次々と乗り越えて、第１昇降部材１と第２昇降部材２の締込みを行うことができる。また、軸部材３の締付方向とは逆方向への回転を規制して架設線材Ｃへの締付が緩むのを防止できる。
【００３３】
また、電気絶縁性を有する合成樹脂で構成され、架設線材Ｃを挟持して所定固定位置に取着される電力設備用ストッパーに於て、上半部に左ねじ状螺旋突条４を有し下半部に右ねじ状螺旋突条５を有する操作用軸部材３と、左ねじ状螺旋突条４に螺着されると共に凹部７を有する上挟持片６が突設された第１昇降部材１と、右ねじ状螺旋突条５に螺着されると共に下挟持片９を突出状に有する第２昇降部材２とを、備え、下挟持片９を退避位置に配設し凹部７を架設線材Ｃに押し付けて係止した上挟持片係止状態で、軸部材３の軸心Ｌ廻りの回転操作に伴って、第２昇降部材２と軸部材３が共廻りし、下挟持片９が架設線材Ｃを介して上挟持片６と上下に対応した挟持対応位置となると共に挟持対応位置で第１昇降部材１が第２昇降部材２に当接停止した締込前状態とし、軸部材３の軸心Ｌ廻りの回転操作によって、第１昇降部材１と第２昇降部材２が上下から相互に接近し、上挟持片６と下挟持片９をもって架設線材Ｃを挟持するように構成されたので、上下方向の全長が短く、コンパクトで、取り扱いが容易である。上挟持片６と下挟持片９の間に架設線材Ｃを装入する際、架設線材Ｃの直径より大きな上下寸法を確保する必要がなく、締込みに係る軸部材３の回転数を低減できる。軸部材３の回転操作によって、第１昇降部材１と第２昇降部材２が上下から相互に接近して、締め込み速度を２倍に向上できて、取付作業を迅速に効率よく行い得る。特に、活線工法に於て、遠隔操作の作業時間を短縮できる。
【符号の説明】
【００３４】
１  第１昇降部材
２  第２昇降部材
３  軸部材
４  左ねじ状螺旋突条
５  右ねじ状螺旋突条
６  上挟持片
６Ａ  下端面
７  凹部
９  下挟持片
３５  谷部
３６  弾性片
Ｃ  架設線材
Ｐ0  退避位置
Ｐ1  挟持対応位置
Ｌ  軸心
【図１】
2015089191.tif 000003
【図２】
2015089191.tif 000004
【図３】
2015089191.tif 000005
【図４】
2015089191.tif 000006
【図５】
2015089191.tif 000007
【図６】
2015089191.tif 000008
【図７】
2015089191.tif 000009
【図８】
2015089191.tif 000010
【図９】
2015089191.tif 000011
【図１０】
2015089191.tif 000012
【図１１】
2015089191.tif 000013
【図１２】
2015089191.tif 000014
【図１３】
2015089191.tif 000015
【図１４】
2015089191.tif 000016
【図１５】
2015089191.tif 000017
【図１６】
2015089191.tif 000018
【図１７】
2015089191.tif 000019
【図１８】
2015089191.tif 000020